【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
マットレスであって、
第１及び第２のコイルポケットを含むコイルポケットの層であって、前記第１及び第２のコイルポケットの各々が、ポケットと、前記ポケット内に配置されたコイルスプリングとを含む、前記コイルポケットの層と、
第１及び第２のクッションポケットを含むクッションポケットの第１の層であって、前記第１及び第２のクッションポケットの各々は、ポケットと、前記ポケット内に配置されたクッション部材とを含み、前記クッションポケットの層は、上面及び下面を含む取付け部材をさらに備え、前記第１及び第２のクッションポケットは、前記取付け部材の前記上面に係合し、前記第１及び第２のクッションポケットが前記第１及び第２のコイルポケットにのみ各々直接作用するように、前記取付け部材の前記下面が前記コイルポケットの層に係合される、前記クッションポケットの前記第１の層と、
を含む、前記マットレス。
【請求項２】
前記クッションポケットの層は、前記コイルポケットの層の上方に配置される、請求項１に記載のマットレス。
【請求項３】
前記取付け部材が布地シートである、請求項２に記載のマットレス。
【請求項４】
前記クッションポケットの各々は、接着剤によって前記取付け部材の上面に接続され、また前記取付け部材の下面は、接着剤によって前記コイルポケットの層にしっかりと取付けられる、請求項３に記載のマットレス。
【請求項５】
前記コイルポケットの各々の前記ポケットと前記第２のクッションポケットの各々の前記ポケットは、１枚の布地から作られる、請求項４に記載のマットレス。
【請求項６】
前記クッション部材が１つのフォームである、請求項１に記載のマットレス。
【請求項７】
前記取付け部材は、前記コイルポケットの層に取外し可能に係合される、請求項１に記載のマットレス。
【請求項８】
前記コイルポケットの層の下に配置されたクッションポケットの第２の層をさらに備え、
前記クッションポケットの第２の層は、第１及び第２のクッションポケットを含み
前記第１及び第２のクッションポケットの各々は、ポケットと、前記ポケット内に配置されたクッション部材とを含み、
前記クッションポケットの第２の層は、上面と下面とを含む取付け部材をさらに含み、
前記クッションポケットの第２の層の前記第１及び前記第２のクッションポケットは、前記取付け部材の前記上面に係合され、
前記クッションポケットの第２の層の前記第１及び第２のクッションポケットが前記第１及び第２のコイルポケットにのみ各々直接作用するように、前記取付け部材の前記下面が前記コイルポケットの層に係合される、
請求項１に記載のマットレス。
【請求項９】
ポケットスプリングユニットであって、
第１及び第２のコイルポケットを含むコイルポケットの層と、
第１及び第２のクッションポケットを含むクッションポケットの第１の層とを含み、
前記第１及び第２のクッションポケットの各々は、ポケットと、前記ポケット内に配置されたクッション部材とを含み、
前記クッションポケットの層は、上面及び下面を含む取付け部材をさらに備え、
前記第１及び第２のクッションポケットは、前記取付け部材の前記上面に係合され、
前記取付け部材の前記下面は、前記第１及び第２のクッションポケットが前記第１及び第２のコイルポケットにのみ各々直接作用するように、前記コイルポケットの層に係合される、前記ポケットスプリングユニット。
【請求項１０】
前記取付け部材が布地シートである、請求項９に記載のポケットスプリングユニット。
【請求項１１】
前記第１及び第２のクッションポケットの前記クッション部材が、１つのフォームである、請求項１０に記載のポケットスプリングユニット。
【請求項１２】
マットレスのためのスプリングユニットであって、
ポケットと前記ポケットに配置されたコイルスプリングを含むコイルポケットと、ポケットと前記ポケットに配置された第１の弾性部材を含むクッションポケットを含む第１のポケットスプリングと、
ポケットおよび前記ポケットに配置されたコイルスプリングとを備えるコイルポケットを含む第２のポケットスプリングとを含み、
前記第１のポケットスプリングにおいて、
前記クッションポケットは、前記コイルポケットに係合および作用し、
前記コイルポケットの前記ポケットは、側部、底部、および上部を含み、
前記側部は、前記コイルポケットの前記底部から前記コイルポケットの前記上部まで延出し、
前記クッションポケットの前記ポケットは、側部、底部、および上部を含み、
前記クッションポケットの前記ポケットの前記底部は、前記コイルポケットの前記ポケットの前記上部に直接接続されており、
前記第２のポケットスプリングは、前記第２のポケットスプリングのクッションポケットのポケットと前記ポケットに配置された第１の弾性部材を含むクッションポケットをさらに含み、
前記第２のポケットスプリングの前記クッションポケットは、前記第２のポケットスプリングの前記コイルポケットに係合および作用し、
前記第２のポケットスプリングの前記コイルポケットの前記ポケットは、側部、底部、および上部を含み、
前記第２のポケットスプリングの前記コイルポケットの前記ポケットの前記側部は、前記第２のポケットスプリングの前記コイルポケットの前記ポケットの前記底部から、前記第２のポケットスプリングの前記コイルポケットの前記ポケットの前記上部まで延出し、
前記第２のポケットスプリングの前記クッションポケットの前記ポケットは、側部、底部、および上部を含み、
前記第２のポケットスプリングの前記クッションポケットの前記ポケットの前記底部は、前記第２のポケットスプリングの前記コイルポケットの前記ポケットの前記上部に直接接続され、
前記第１のポケットスプリングの前記コイルポケットの前記ポケットの前記側部の実質的全長が、前記第２のポケットスプリングの前記コイルポケットの前記ポケットの前記側部の実質的全長と係合し、
前記第１のポケットスプリングの前記クッションポケットの前記ポケットが、前記第２のポケットスプリングの前記クッションポケットの前記ポケットから自立し、それによりポンプ作用が引き起こされ、第１のポケットスプリングが押され空気循環が起こる、マットレスのためのスプリングユニット。
【請求項１３】
前記第１のポケットスプリングの前記クッションポケットが、前記第１の弾性部材の上に配置された第２の弾性部材を含み、前記第２のポケットスプリングの前記クッションポケットが、前記第１の弾性部材の上に配置された第２の弾性部材を含む、請求項１２に記載のスプリングユニット。
【請求項１４】
前記第１のポケットスプリングの前記クッションポケットが、前記第１の弾性部材と第２の弾性部材の間に配置されたダイアフラムをさらに含み、前記第２のポケットスプリングの前記クッションポケットが、前記第１の弾性部材と第２の弾性部材の間に配置されたダイアフラムをさらに含む、請求項１３に記載のスプリングユニット。
【請求項１５】
前記第１のポケットスプリングの前記コイルポケットの前記ポケットおよび前記第１のポケットスプリングの前記クッションポケットの前記ポケットは、熱接着により形成され、また前記第２のポケットスプリングの前記コイルポケットの前記ポケットおよび前記第２のポケットスプリングの前記クッションポケットの前記ポケットは、熱接着により形成される、請求項１４に記載のスプリングユニット。
【請求項１６】
前記第１のポケットスプリングの前記クッションポケットの前記ポケットは、接着剤により前記第１のポケットスプリングの前記コイルポケットの前記ポケットに取り付けられ、前記第２のポケットスプリングの前記クッションポケットの前記ポケットは、接着剤により前記第２のポケットスプリングの前記コイルポケットの前記ポケットに取り付けられる、請求項１５に記載のスプリングユニット。
【請求項１７】
前記第１の弾性部材および前記第２の弾性部材は各々フォームクッションである、請求項１６に記載のスプリングユニット。
【請求項１８】
ポケットと前記ポケットに配置されたコイルスプリングを含むコイルポケットと、ポケットと前記ポケットに配置された第１の弾性部材を含むクッションポケットを含む第１のポケットスプリングと、
ポケットおよび前記ポケットに配置されたコイルスプリングとを備えるコイルポケットを含む第２のポケットスプリングとを含み、
前記第１のポケットスプリングにおいて、
前記クッションポケットは、前記コイルポケットに係合および作用し、
前記コイルポケットの前記ポケットは、側部、底部、および上部を含み、
前記側部は、前記コイルポケットの前記底部から前記コイルポケットの前記上部まで延出し、
前記クッションポケットの前記ポケットは、側部、底部、および上部を含み、
前記クッションポケットの前記ポケットの前記底部は、前記コイルポケットの前記ポケットの前記上部に直接接続されており、
前記第２のポケットスプリングは、前記第２のポケットスプリングのクッションポケットのポケットと前記ポケットに配置された第１の弾性部材を含むクッションポケットをさらに含み、
前記第２のポケットスプリングの前記クッションポケットは、前記第２のポケットスプリングの前記コイルポケットに係合および作用し、
前記第２のポケットスプリングの前記コイルポケットの前記ポケットは、側部、底部、および上部を含み、
前記第２のポケットスプリングの前記コイルポケットの前記ポケットの前記側部は、前記第２のポケットスプリングの前記コイルポケットの前記ポケットの前記底部から、前記第２のポケットスプリングの前記コイルポケットの前記ポケットの前記上部まで延出し、
前記第２のポケットスプリングの前記クッションポケットの前記ポケットは、側部、底部、および上部を含み、
前記第２のポケットスプリングの前記クッションポケットの前記ポケットの前記底部は、前記第２のポケットスプリングの前記コイルポケットの前記ポケットの前記上部に直接接続され、
前記第１のポケットスプリングの前記コイルポケットの前記ポケットの前記側部の実質的全長が、前記第２のポケットスプリングの前記コイルポケットの前記ポケットの前記側部の実質的全長と係合し、
前記第１のポケットスプリングの前記クッションポケットの前記ポケットが、前記第２のポケットスプリングの前記クッションポケットの前記ポケットから自立し、それによりポンプ作用が引き起こされ、第１のポケットスプリングが押され空気循環が起こる、マットレス。
【請求項１９】
前記第１のポケットスプリングの前記クッションポケットが、前記第１の弾性部材の上に配置された第２の弾性部材を含み、前記第２のポケットスプリングの前記クッションポケットが、前記第１の弾性部材の上に配置された第２の弾性部材を含む、請求項１８に記載のマットレス。
【請求項２０】
前記第１のポケットスプリングの前記クッションポケットが、前記第１の弾性部材と第２の弾性部材の間に配置されたダイアフラムをさらに含み、前記第２のポケットスプリングの前記クッションポケットが、前記第１の弾性部材と第２の弾性部材の間に配置されたダイアフラムをさらに含む、請求項１９に記載のマットレス。
【請求項２１】
前記第１のポケットスプリングの前記コイルポケットの前記ポケットおよび前記第１のポケットスプリングの前記クッションポケットの前記ポケットは、熱接着により形成され、また前記第２のポケットスプリングの前記コイルポケットの前記ポケットおよび前記第２のポケットスプリングの前記クッションポケットの前記ポケットは、熱接着により形成される、請求項２０に記載のマットレス。
【請求項２２】
前記第１のポケットスプリングの前記クッションポケットの前記ポケットは、接着剤により前記第１のポケットスプリングの前記コイルポケットの前記ポケットに取り付けられ、前記第２のポケットスプリングの前記クッションポケットの前記ポケットは、接着剤により前記第２のポケットスプリングの前記コイルポケットの前記ポケットに取り付けられる、請求項２１に記載のマットレス。
【請求項２３】
前記第１および前記第２の弾性部材の各々はフォームクッションである、請求項２２に記載のマットレス。